(57)【要約】      （修正有）【課題】回転電機の騒音の低減を図ることができる固定子および回転電機を提供する。【解決手段】回転電機の固定子１は、複数のティース状ヨーク部１１と、環状ヨーク部１２と、第１厚肉部２１ｂと、第２厚肉部２２ｂとを持つ。前記第１厚肉部２１ｂおよび前記第２厚肉部２２ｂは、前記環状ヨーク部１２の最も薄い部分に比べて前記環状ヨーク部１２が厚くなる部分を前記環状ヨーク部１２に形成している。前記環状ヨーク部１２の軸方向における前記第２厚肉部２２ｂの中心は、前記環状ヨーク部１２の軸方向における前記第１厚肉部２１ｂの中心に対してずれて位置する。【選択図】図１
2017051008.tif 000002
【特許請求の範囲】
【請求項１】
所定の中心点から見て放射状に配置された複数のティース状ヨーク部と、
前記複数のティース状ヨーク部を囲んで連結する環状ヨーク部と、
前記中心点から見た放射方向において、前記環状ヨーク部を挟んで、前記複数のティース状ヨーク部に含まれる第１ティース状ヨーク部の反対側に設けられ、前記環状ヨーク部の最も薄い部分に比べて前記環状ヨーク部が厚くなる部分を前記環状ヨーク部に形成した第１厚肉部と、
前記放射方向において、前記環状ヨーク部を挟んで、前記複数のティース状ヨーク部に含まれる第２ティース状ヨーク部の反対側に設けられ、前記環状ヨーク部の最も薄い部分に比べて前記環状ヨーク部が厚くなる部分を前記環状ヨーク部に形成した第２厚肉部と、
を備え、
前記環状ヨーク部の軸方向における前記第２厚肉部の中心は、前記環状ヨーク部の軸方向における前記第１厚肉部の中心に対してずれて位置し、
前記環状ヨーク部の周方向における前記第１厚肉部の幅および前記第２厚肉部の幅の各々は、前記環状ヨーク部の周方向における前記ティース状ヨーク部の最小幅部を規定する前記ティース状ヨーク部の一対の端部を始点として、前記環状ヨーク部の周方向における前記ティース状ヨーク部の中心を前記放射方向に通る中心線と略平行な一対の仮想線が前記始点から延ばされた場合に、前記一対の仮想線の間の領域を覆う大きさを有した、
回転電機の固定子。
【請求項２】
前記環状ヨーク部の周方向において前記第１厚肉部と前記第２厚肉部との間に設けられ、前記環状ヨーク部の最も薄い部分に比べて前記環状ヨーク部が厚くなる部分を前記環状ヨーク部に形成した第３厚肉部を備え、
前記環状ヨーク部の軸方向における前記第３厚肉部の中心は、前記環状ヨーク部の軸方向における前記第１厚肉部の中心および前記第２厚肉部の中心に対してずれて位置した、
請求項１に記載の固定子。
【請求項３】
前記第１厚肉部および前記第２厚肉部は、非磁性体で形成された、
請求項１または請求項２に記載の固定子。
【請求項４】
請求項１から請求項３のいずれか一項に記載の固定子と、
前記固定子の内側に配置された回転子と、
を備えた回転電機。
【発明の詳細な説明】
【技術分野】
【０００１】
本発明の実施形態は、固定子および回転電機に関する。
【背景技術】
【０００２】
回転電機は、運転時に騒音の原因となる振動を伴う。このため、回転電機の振動を抑制するための種々の構造が提案されている。
しかしながら、近年の各種の回転電機は、大容量化と、小型化および軽量化の進展に伴い、従来に比べて振動しやすくなっている。このため、回転電機は、騒音の低減をさらに図るという点で改善の余地がある。
【先行技術文献】
【特許文献】
【０００３】
【特許文献１】特開２０１０−１３６５２６号公報
【発明の概要】
【発明が解決しようとする課題】
【０００４】
本発明が解決しようとする課題は、回転電機の騒音の低減を図ることができる固定子および回転電機を提供することである。
【課題を解決するための手段】
【０００５】
実施形態の回転電機の固定子は、複数のティース状ヨーク部と、環状ヨーク部と、第１厚肉部と、第２厚肉部とを持つ。前記複数のティース状ヨーク部は、所定の中心点から見て放射状に配置されている。前記環状ヨーク部は、前記複数のティース状ヨーク部を囲んで連結している。前記第１厚肉部は、前記中心点から見た放射方向において、前記環状ヨーク部を挟んで、前記複数のティース状ヨーク部に含まれる第１ティース状ヨーク部の反対側に設けられ、前記環状ヨーク部の最も薄い部分に比べて前記環状ヨーク部が厚くなる部分を前記環状ヨーク部に形成している。前記第２厚肉部は、前記放射方向において、前記環状ヨーク部を挟んで、前記複数のティース状ヨーク部に含まれる第２ティース状ヨーク部の反対側に設けられ、前記環状ヨーク部の最も薄い部分に比べて前記環状ヨーク部が厚くなる部分を前記環状ヨーク部に形成している。前記環状ヨーク部の軸方向における前記第２厚肉部の中心は、前記環状ヨーク部の軸方向における前記第１厚肉部の中心に対してずれて位置する。前記環状ヨーク部の周方向における前記第１厚肉部の幅および前記第２厚肉部の幅の各々は、前記環状ヨーク部の周方向における前記ティース状ヨーク部の最小幅部を規定する前記ティース状ヨーク部の一対の端部を始点として、前記環状ヨーク部の周方向における前記ティース状ヨーク部の中心を前記放射方向に通る中心線と略平行な一対の仮想線が前記始点から延ばされた場合に、前記一対の仮想線の間の領域を覆う大きさを有する。
【図面の簡単な説明】
【０００６】
【図１】第１の実施形態の固定子を示す斜視図。
【図２】図１中に示された固定子の一部を拡大して示す正面図。
【図３】図１中に示された第１リブを示す斜視図。
【図４】図１中に示された第１リブを拡大して示す断面図。
【図５】図１中に示された第１リブおよび第２リブを拡大して示す断面図。
【図６】第２の実施形態の固定子を示す斜視図。
【図７】第３の実施形態の固定子を示す斜視図。
【図８】第４の実施形態の振動絶縁体を示す斜視図。
【図９】第１から第４の実施形態に係る回転電機の一例を示す断面図。
【発明を実施するための形態】
【０００７】
以下、実施形態の固定子および回転電機を、図面を参照して説明する。なお以下の説明では、同一または類似の機能を有する構成に同一の符号を付す。そして、それら構成の重複する説明は省略する場合がある。
【０００８】
（第１の実施形態）
図１から図５は、第１の実施形態に係る回転電機の固定子１を示す。
ここで、説明の便宜上、固定子１の内周側の中心を通る中心線Ｃ１を基準に、固定子１の環状ヨーク部１２の軸方向Ｚ、所定の中心点Ｃ（図２参照）から見た放射方向Ｒ、および周方向θを定義する。なお、固定子１の中心線Ｃ１は、環状ヨーク部１２の内周側の中心を通る環状ヨーク部１２の中心線と見做すこともできる。軸方向Ｚは、中心線Ｃ１と略平行な方向である。放射方向Ｒは、中心線Ｃ１上に位置する中心点Ｃから見た放射方向である。すなわち、放射方向Ｒは、中心線Ｃ１に略直交するとともに、中心線Ｃ１から放射状に離れる方向である。言い換えると、放射方向Ｒは、環状ヨーク部１２の径方向である。周方向θは、中心線Ｃ１からの距離を一定に保ちながら中心線Ｃ１の周りを回転する方向である。
【０００９】
図１は、固定子１の構成を示す斜視図である。
図１に示すように、固定子１は、複数のティース状ヨーク部１１と、環状ヨーク部１２とを備える。
【００１０】
複数のティース状ヨーク部１１は、中心線Ｃ１（中心点Ｃ）から見て放射状に配置されている。言い換えると、複数のティース状ヨーク部１１は、互いの間に間隔を空けて環状ヨーク部１２の周方向θに並べられている。複数のティース状ヨーク部１１の間には、巻線コイルが収容されるスロット１３が形成されている。本実施形態の固定子１は、６つのスロット１３を有する。例えば、固定子１に組み合わされる回転子の極数は、４極である。
【００１１】
複数のティース状ヨーク部１１は、複数の第１ティース状ヨーク部１１Ａと、複数の第２ティース状ヨーク部１１Ｂとを含む。複数の第１ティース状ヨーク部１１Ａと複数の第２ティース状ヨーク部１１Ｂとは、環状ヨーク部１２の周方向θにおいて交互に配置されている。本実施形態の固定子１は、例えば、３つの第１ティース状ヨーク部１１Ａと、３つの第２ティース状ヨーク部１１Ｂとを含む。
【００１２】
環状ヨーク部１２は、複数のティース状ヨーク部１１を囲む環状（例えば円環状）に形成されている。環状ヨーク部１２は、複数のティース状ヨーク部１１を囲んで連結している。言い換えると、複数のティース状ヨーク部１１は、環状ヨーク部１２に接続されて環状ヨーク部１２によって支持されている。
【００１３】
環状ヨーク部１２は、複数の第１部分１２ａと、複数の第２部分１２ｂとを有する。複数の第１部分１２ａは、環状ヨーク部１２において、複数の第１ティース状ヨーク部１１Ａがそれぞれ接続される部分である。言い換えると、複数の第１部分１２ａは、前記放射方向Ｒに沿って見た場合に、複数の第１ティース状ヨーク部１１Ａと重なる部分である。一方で、複数の第２部分１２ｂは、環状ヨーク部１２において、複数の第２ティース状ヨーク部１１Ｂがそれぞれ接続される部分である。言い換えると、複数の第２部分１２ｂは、前記放射方向Ｒに沿って見た場合に、複数の第２ティース状ヨーク部１１Ｂと重なる部分である。複数の第１部分１２ａと複数の第２部分１２ｂとは、環状ヨーク部１２の周方向θにおいて交互に設けられる。
【００１４】
次に、環状ヨーク部１２の外周面１２ｓのなかで１つの基準面となるベース面ＢＳについて説明する。
まず、環状ヨーク部１２の外周面１２ｓとは、放射方向Ｒで環状ヨーク部１２の外周側に向いた周面のことである。また、環状ヨーク部１２は、該環状ヨーク部１２の内周側に空間Ｓを有する。空間Ｓは、例えば回転子が配置される空間である。
ベース面ＢＳは、環状ヨーク部１２の外周面１２ｓのなかで環状ヨーク部１２の内周側の空間Ｓに最も近い周面である。言い換えると、ベース面ＢＳは、放射方向Ｒにおける環状ヨーク部１２の最も薄い部分の最外面である。ベース面ＢＳは、固定子１の中心線Ｃ１を中心とする円弧状の曲面を有する。本実施形態では、ベース面ＢＳは、環状ヨーク部１２の第１部分１２ａと第２部分１２ｂとの間の領域に設けられている。
【００１５】
次に、環状ヨーク部１２の外周面１２ｓに設けられる２種類のリブ２１，２２について説明する。図１に示すように、環状ヨーク部１２の外周面１２ｓには、複数の第１リブ２１と、複数の第２リブ２２とが設けられている。
【００１６】
まず、第１リブ２１について説明する。
図１に示すように、複数の第１リブ２１は、環状ヨーク部１２の複数の第１部分１２ａの各々に分かれて設けられている。なお、本願で言う「第１リブ（または第１厚肉部）が環状ヨーク部の第１部分に設けられている」とは、第１リブ（または第１厚肉部）の少なくとも一部が環状ヨーク部の第１部分に設けられていることを意味する。
本実施形態では、３つの第１ティース状ヨーク部１１Ａに対応して３つの第１リブ２１が設けられている。第１リブ２１は、放射方向Ｒで第１ティース状ヨーク部１１Ａに重なる。第１リブ２１は、第１ティース状ヨーク部１１Ａに沿って配置され、環状ヨーク部１２の軸方向Ｚにおいて環状ヨーク部１２の全長に亘る。
【００１７】
第１リブ２１は、複数の第１部分２１ａと、複数の第２部分２１ｂとを有する。
放射方向Ｒにおける複数の第１部分２１ａおよび複数の第２部分２１ｂの最外面（後述の端面ｅ１，ｅ２）は、ベース面ＢＳに比べて、放射方向Ｒの中心点Ｃから離れて位置する。詳しく述べると、第１部分２１ａは、ベース面ＢＳに対して環状ヨーク部１２の外周側に厚さｔ１を有する。一方で、第２部分２１ｂは、ベース面ＢＳに対して環状ヨーク部１２の外周側に厚さｔ２を有する。第２部分２１ｂの厚さｔ２は、第１部分２１ａの厚さｔ１よりも厚い。言い換えると、第２部分２１ｂは、第１部分２１ａに比べて環状ヨーク部１２の外周側に突出している。本実施形態では、複数の第２部分２１ｂの各々は、「第１厚肉部」の一例である。以上を言い換えると、第２部分２１ｂは、放射方向Ｒにおいて、環状ヨーク部１２を挟んで、第１ティース状ヨーク部１１Ａの反対側に設けられている。第２部分２１ｂは、放射方向Ｒにおいて、環状ヨーク部１２の最も薄い部分に比べて環状ヨーク部１２が厚くなる部分を環状ヨーク部１２に形成している。
【００１８】
図１に示すように、複数の第１部分２１ａと、複数の第２部分２１ｂは、環状ヨーク部１２の軸方向Ｚにおいて交互に配置されている。言い換えると、複数の第２部分２１ｂは、互いの間に間隔を空けて環状ヨーク部１２の軸方向Ｚに並べられている。
【００１９】
第１部分２１ａは、環状ヨーク部１２の外周側の周面としての第１端面ｅ１を有する。第１端面ｅ１は、固定子１の中心線Ｃ１を中心とする円弧状の曲面を有する。言い換えると、第１端面ｅ１は、ベース面ＢＳと相似形状を有する円弧状に形成されている。
同様に、第２部分２１ｂは、環状ヨーク部１２の外周側の周面としての第２端面ｅ２を有する。第２端面ｅ２は、第１端面ｅ１に比べて、環状ヨーク部１２の外周側に位置する。第２端面ｅ２は、固定子１の中心線Ｃ１を中心とする円弧状の曲面を有する。言い換えると、第２端面ｅ２は、ベース面ＢＳと相似形状を有する円弧状に形成されている。
【００２０】
次に、第１部分２１ａおよび第２部分２１ｂの大きさの一例について説明する。
第１部分２１ａは、環状ヨーク部１２の周方向θに沿う扁平状に形成されている。すなわち、環状ヨーク部１２の軸方向Ｚにおける第１部分２１ａの幅Ｗ１は、第１部分２１ａの厚さｔ１よりも大きい。また、環状ヨーク部１２の周方向θにおける第１部分２１ａの幅Ｗ２は、厚さｔ１よりも大きい。なお、第１部分２１ａの幅Ｗ１，Ｗ２は、例えば第１端面ｅ１における幅である。
【００２１】
同様に、第２部分２１ｂは、環状ヨーク部１２の周方向θに沿う扁平状に形成されている。すなわち、環状ヨーク部１２の軸方向Ｚにおける第２部分２１ｂの幅Ｗ３は、第２部分２１ｂの厚さｔ２よりも大きい。また、環状ヨーク部１２の周方向θにおける第２部分２１ｂの幅Ｗ４は、厚さｔ２よりも大きい。なお、第２部分２１ｂの幅Ｗ３，Ｗ４は、例えば第２端面ｅ２における幅である。
【００２２】
次に、環状ヨーク部１２の周方向θにおける第２部分２１ｂの幅Ｗ４をさらに詳しく示す。
図２は、固定子１の一部を拡大して示す正面図である。
図２に示すように、第１ティース状ヨーク部１１Ａは、環状ヨーク部１２の周方向θにおける第１ティース状ヨーク部１１Ａの最小幅部２４と、この最小幅部２４を規定する一対の端部２４ａ，２４ｂとを有する。また図２中において、中心線Ｃ２は、環状ヨーク部１２の周方向θにおける第１ティース状ヨーク部１１Ａの中心を、放射方向Ｒに通る中心線である。図２中に示す一対の仮想線Ｌ１，Ｌ２は、第１ティース状ヨーク部１１Ａの一対の端部２４ａ，２４ｂを始点として、この始点から環状ヨーク部１２の外周側に向けて中心線Ｃ２と略平行に延ばされた仮想線である。図２に示すように、環状ヨーク部１２の周方向θにおける第２部分２１ｂの幅Ｗ４は、一対の仮想線Ｌ１，Ｌ２の間の領域を覆う大きさを有する。
【００２３】
図３は、第１リブ２１を示す斜視図である。
図３に示すように、本実施形態の第１リブ２１は、ダイカストのような製造方法によって、上述した複数の第１部分２１ａと複数の第２部分２１ｂとが一体に形成されている。第１リブ２１は、環状ヨーク部１２とは別体として形成され、接着または溶接などによって環状ヨーク部１２に固定されている。第１リブ２１は、例えばアルミニウム合金のような非磁性体で形成されている。
【００２４】
次に、再び図１に戻り、第２リブ２２について説明する。
図１に示すように、複数の第２リブ２２は、環状ヨーク部１２の複数の第２部分１２ｂの各々に分かれて設けられている。なお、本願で言う「第２リブ（または第２厚肉部）が環状ヨーク部の第２部分に設けられている」とは、第２リブ（または第２厚肉部）の少なくとも一部が環状ヨーク部の第２部分に設けられていることを意味する。
本実施形態では、３つの第２ティース状ヨーク部１１Ｂに対応して３つの第２リブ２２が設けられている。第２リブ２２は、放射方向Ｒで第２ティース状ヨーク部１１Ｂに重なる。第２リブ２２は、第２ティース状ヨーク部１１Ｂに沿って配置され、環状ヨーク部１２の軸方向Ｚにおいて環状ヨーク部１２の全長に亘る。
複数の第２リブ２２の各々は、固定子１の中心線Ｃ１を中心として、第１リブ２１とは反対側に設けられる。すなわち、第１リブ２１および第２リブ２２は、固定子１の中心線Ｃ１を間に挟んで互いに対向する環状ヨーク部１２の複数の領域に分かれて配置される。
【００２５】
第２リブ２２は、複数の第１部分２２ａと、複数の第２部分２２ｂとを有する。
放射方向Ｒにおける複数の第１部分２２ａおよび複数の第２部分２２ｂの最外面（後述の端面ｅ１，ｅ２）は、ベース面ＢＳに比べて、放射方向Ｒの中心点Ｃから離れて位置する。詳しく述べると、第１部分２２ａは、ベース面ＢＳに対して環状ヨーク部１２の外周側に厚さｔ１を有する。すなわち、第１部分２２ａは、ベース面ＢＳに対して、第１リブ２１の第１部分２１ａと略同じ厚さを有する。一方で、第２部分２２ｂは、ベース面ＢＳに対して環状ヨーク部１２の外周側に厚さｔ２を有する。すなわち、第２部分２２ｂは、ベース面ＢＳに対して、第１リブ２１の第２部分２１ｂと略同じ厚さを有する。第２部分２２ｂは、第１部分２２ａに比べて環状ヨーク部１２の外周側に突出している。本実施形態では、複数の第２部分２２ｂの各々は、「第２厚肉部」の一例である。以上を言い換えると、第２部分２２ｂは、放射方向Ｒにおいて、環状ヨーク部１２を挟んで、第２ティース状ヨーク部１１Ｂの反対側に設けられている。第２部分２２ｂは、放射方向Ｒにおいて、環状ヨーク部１２の最も薄い部分に比べて環状ヨーク部１２が厚くなる部分を環状ヨーク部１２に形成している。
【００２６】
図１に示すように、複数の第１部分２２ａと、複数の第２部分２２ｂは、環状ヨーク部１２の軸方向Ｚにおいて交互に配置されている。言い換えると、複数の第２部分２２ｂは、互いの間に間隔を空けて環状ヨーク部１２の軸方向Ｚに並べられている。
【００２７】
第１部分２２ａは、第１リブ２１の第１部分２１ａと同様に、環状ヨーク部１２の外周側の周面として円弧状の第１端面ｅ１を有する。また、第２部分２２ｂは、第１リブ２１の第２部分２１ｂと同様に、環状ヨーク部１２の外周側の周面として円弧状の第２端面ｅ２を有する。第２端面ｅ２は、第１端面ｅ１に比べて、環状ヨーク部１２の外周側に位置する。
【００２８】
環状ヨーク部１２の軸方向Ｚおよび周方向θにおける第２リブ２２の第１部分２２ａの幅Ｗ１，Ｗ２は、環状ヨーク部１２の軸方向Ｚおよび周方向θにおける第１リブ２１の第１部分２１ａの幅Ｗ１，Ｗ２と略同じである。同様に、環状ヨーク部１２の軸方向Ｚおよび周方向θにおける第２リブ２２の第２部分２２ｂの幅Ｗ３，Ｗ４は、環状ヨーク部１２の軸方向Ｚおよび周方向θにおける第１リブ２１の第２部分２１ｂの幅Ｗ３，Ｗ４と略同じである。
【００２９】
すなわち、図２に示すように、第２ティース状ヨーク部１１Ｂは、環状ヨーク部１２の周方向θにおける第１ティース状ヨーク部１１Ａの最小幅部２４と、この最小幅部２４を規定する一対の端部２４ａ，２４ｂとを有する。また図２中において、中心線Ｃ２は、環状ヨーク部１２の周方向θにおける第２ティース状ヨーク部１１Ｂの中心を、放射方向Ｒに通る中心線である。図２中に示す一対の仮想線Ｌ１，Ｌ２は、第２ティース状ヨーク部１１Ｂの一対の端部２４ａ，２４ｂを始点として、この始点から環状ヨーク部１２の外周側に向けて中心線Ｃ２と略平行に延ばされた仮想線である。図２に示すように、環状ヨーク部１２の周方向θにおける第２部分２２ｂの幅Ｗ４は、一対の仮想線Ｌ１，Ｌ２の間の領域を覆う大きさを有する。
【００３０】
第２リブ２２は、第１リブ２１と同様に、ダイカストのような製造方法によって、上述した複数の第１部分２２ａと複数の第２部分２２ｂとが一体に形成されている。第２リブ２２は、環状ヨーク部１２とは別体として形成され、接着または溶接などによって環状ヨーク部１２に固定されている。第２リブ２２は、例えばアルミニウム合金のような非磁性体で形成されている。
【００３１】
次に、第１リブ２１の第２部分２１ｂに対する第２リブ２２の第２部分２２ｂの位置について説明する。
図１に示すように、第２リブ２２の複数の第２部分２２ｂの各々は、環状ヨーク部１２の軸方向Ｚにおいて、第１リブ２１の複数の第２部分２１ｂに対してずれた位置に設けられている。例えば、第２リブ２２の複数の第２部分２２ｂは、環状ヨーク部１２の周方向θにおいて、第１リブ２１の複数の第２部分２１ｂに重ならない位置に設けられている。
【００３２】
なお本願で言う「第２厚肉部は、ヨークの軸方向において、第１厚肉部に対してずれた位置に設けられている」とは、環状ヨーク部１２の軸方向Ｚにおける第２厚肉部の中心が、環状ヨーク部１２の軸方向Ｚにおいて、環状ヨーク部１２の軸方向Ｚにおける第１厚肉部の中心に対してずれた位置に設けられていることを意味する。すなわち、「第２厚肉部は、ヨークの軸方向において、第１厚肉部に対してずれた位置に設けられている」とは、環状ヨーク部１２の周方向θにおいて第２厚肉部と第１厚肉部とが完全に重ならない位置にずれていることに限定されず、環状ヨーク部１２の周方向θにおいて第２厚肉部と第１厚肉部とが一部重なる場合を含む。
【００３３】
次に、以上のように構成された固定子１の作用について説明する。
回転電機が駆動される場合、固定子１には、回転子から電磁加振力が作用する。固定子１は、回転子から作用する電磁加振力によって、放射方向Ｒに膨らんだり縮んだりする。固定子１が放射方向Ｒに膨らんだり縮んだりすると、固定子１の周囲の空気が放射方向Ｒに押し出され、音圧として放出される。この放出された音圧は、回転電機の騒音として周囲に伝わる。
【００３４】
ここで、回転電機の騒音は、回転子による電磁加振力の周波数と固定子１の固有振動数とが一致する固定子１の共振状態において特に大きくなる。固定子１の振動モード（変形モード）には、固定子１が楕円状に変形するモード（楕円モード）や、固定子１が四角形状に変形するモード、または固定子１の全体が同位相で放射方向Ｒに膨らんだり縮んだりするモード（膨張・収縮モード）がある。なお以下では、固定子１の全体が同位相で放射方向Ｒに膨らんだり縮んだりするモードを代表して取り上げ、固定子１の作用を説明する。
【００３５】
まず、第１リブ２１の作用について説明する。
図４は、第１リブ２１を拡大して示す断面図である。
図４中の波形Ａは、環状ヨーク部１２が放射方向Ｒに膨らむ場合に、第１リブ２１の第１部分２１ａによって環状ヨーク部１２の外周側に放出される（押し出される）空気の振動の位相を示す。なお、空気の振動は、放射方向Ｒに進む縦振動（疎密波）であるが、図４中では説明の便宜上、横波で示す。一方で、波形Ｂは、環状ヨーク部１２が放射方向Ｒに膨らむ場合に、第１リブ２１の第２部分２１ｂによって環状ヨーク部１２の外周側に放出される（押し出される）空気の振動の位相を示す。
【００３６】
図４中の波形Ａで示すように、第１部分２１ａから放出される空気の振動は、第１部分２１ａの第１端面ｅ１を始点とする波動となる。一方で、図４中の波形Ｂで示すように、第２部分２１ｂから放出される空気の振動は、第２部分２１ｂの第２端面ｅ２を始点とする波動となる。
ここで、第１部分２１ａと第２部分２１ｂとの間には放射方向Ｒにおける高さの違いが存在する。このため、第１部分２１ａから放出される空気の振動の位相と、第２部分２１ｂから放出される空気の振動の位相との間には、位相ずれが生じる。このような位相ずれが存在すると、第１部分２１ａから放出される空気の振動と、第２部分２１ｂから放出される空気の振動とは、互いに強め合いにくい。第１部分２１ａから放出される空気の振動と、第２部分２１ｂから放出される空気の振動とが互いに強め合いにくいと、騒音が小さくなりやすい。
【００３７】
次に、第１リブ２１と第２リブ２２の作用について説明する。
図５は、第１リブ２１および第２リブ２２を拡大して示す断面図である。
図５中の波形Ｃは、第１リブ２１から放出される空気の振動の、あるタイミングにおける位相を模式的に示す。上述したように、第１リブ２１では、第１部分２１ａから放出される空気の振動の位相と、第２部分２１ｂから放出される空気の振動の位相との間に位相ずれが生じる。このため、図５中の波形Ｃに示すように、波形Ｃは、第１リブ２１の第１部分２１ａから放出された空気に対応する部分と、第１リブ２１の第２部分２１ｂから放出された空気に対応する部分とで位相が異なる。
【００３８】
同様に、図５中の波形Ｄは、第２リブ２２から放出される空気の振動の、あるタイミングにおける位相を模式的に示す。第２リブ２２では、第１リブ２１と同様に、第１部分２２ａから放出される空気の振動の位相と、第２部分２２ｂから放出される空気の振動の位相との間に位相ずれが生じる。このため、図５中の波形Ｄに示すように、波形Ｄは、第２リブ２２の第１部分２２ａから放出された空気に対応する部分と、第２リブ２２の第２部分２２ｂから放出された空気に対応する部分とで位相が異なる。
【００３９】
ここで、本実施形態では、第２リブ２２の第２部分２２ｂは、第１リブ２１の第２部分２１ｂに対して、環状ヨーク部１２の軸方向Ｚにずれた位置に設けられている。このため、環状ヨーク部１２の周方向θで見た場合、第１リブ２１の第２部分２１ｂから放出される空気の振動と、第２リブ２２の第２部分２２ｂから放出される空気の振動とは隣に並びにくい。
【００４０】
本実施形態では、環状ヨーク部１２の周方向θで見た場合、第１リブ２１の第２部分２１ｂから放出される空気の振動は、第２リブ２２の第１部分２２ａから放出される空気の振動と並びやすい。ここで、第１リブ２１の第２部分２１ｂと、第２リブ２２の第１部分２２ａとの間には放射方向Ｒにおける高さの違いが存在する。このため、第１リブ２１の第２部分２１ｂから放出される空気の振動の位相と、第２リブ２２の第１部分２２ａから放出される空気の振動の位相との間には、位相ずれが生じる。このような位相ずれが存在すると、第１リブ２１の第２部分２１ｂから放出される空気の振動と、第２リブ２２の第１部分２２ａから放出される空気の振動とは、互いに強め合いにくい。すなわち、環状ヨーク部１２の周方向θにおける複数の場所から放出される空気の振動が互いに強め合いにくい。
【００４１】
同様に、環状ヨーク部１２の周方向θで見た場合、第１リブ２１の第１部分２１ａから放出される空気の振動は、第２リブ２２の第２部分２２ｂから放出される空気の振動と並びやすい。ここで、第１リブ２１の第１部分２１ａと、第２リブ２２の第２部分２２ｂとの間には放射方向Ｒにおける高さの違いが存在する。このため、第１リブ２１の第１部分２１ａから放出される空気の振動の位相と、第２リブ２２の第２部分２２ｂから放出される空気の振動の位相との間には、位相ずれが生じる。このような位相ずれが存在すると、第１リブ２１の第１部分２１ａから放出される空気の振動と、第２リブ２２の第２部分２２ｂから放出される空気の振動とは、互いに強め合いにくい。すなわち、環状ヨーク部１２の周方向θにおける複数の場所から放出される空気の振動が互いに強め合いにくい。
このため、騒音が小さくなりやすい。
【００４２】
以上のような構成の固定子１によれば、回転電機の騒音の低減を図ることができる。すなわち、本実施形態の固定子１は、複数のティース状ヨーク部１１と、環状ヨーク部１２と、第１厚肉部（第１リブ２１の第２部分２１ｂ）と、第２厚肉部（第２リブ２２の第２部分２２ｂ）とを持つ。複数のティース状ヨーク部１１は、所定の中心点Ｃから見て放射状に配置されている。環状ヨーク部１２は、複数のティース状ヨーク部１１を囲んで連結している。前記第１厚肉部は、放射方向Ｒにおいて、環状ヨーク部１２を挟んで、複数のティース状ヨーク部１１に含まれる第１ティース状ヨーク部１１Ａの反対側に設けられ、環状ヨーク部１２の最も薄い部分に比べて環状ヨーク部１２が厚くなる部分を環状ヨーク部１２に形成している。前記第２厚肉部は、放射方向Ｒにおいて、環状ヨーク部１２を挟んで、複数のティース状ヨーク部１１に含まれる第２ティース状ヨーク部１１Ｂの反対側に設けられ、環状ヨーク部１２の最も薄い部分に比べて環状ヨーク部１２が厚くなる部分を環状ヨーク部１２に形成している。
【００４３】
このような構成によれば、前記第１厚肉部および前記第２厚肉部によって、固定子１のなかでティース状ヨーク部１１に対応する部分の剛性が高められている。固定子１のなかでティース状ヨーク部１１に対応する部分の剛性が高められていると、剛性が高められた分だけ固定子１が振動しにくくなり、騒音が小さくなる。
【００４４】
また上記構成によれば、前記第１厚肉部から放出される空気の振動の位相と、前記第１厚肉部を外れた部分から放出される空気の振動の位相との間に、位相ずれが生じる。このため、前記第１厚肉部から放出される空気の振動と、前記第１厚肉部を外れた部分から放出される空気の振動とは、互いに強め合いにくい。このため、騒音が小さくなりやすい。なお、上記効果は、前記第２厚肉部に関しても同様である。
【００４５】
ここで、前記第１厚肉部と前記第２厚肉部とが環状ヨーク部１２の周方向θにおいて並ぶと、前記第１厚肉部の最外面から放出される空気の振動の位相と、前記第２厚肉部の最外面から放出される空気の振動の位相とが同相になる可能性がある。前記第１厚肉部から放出される空気の振動の位相と、前記第２厚肉部から放出される空気の振動の位相とが同相になると、前記第１厚肉部から放出される空気の振動の位相のピークと、前記第２厚肉部から放出される空気の振動の位相のピークとが重なり、前記第１厚肉部から放出される空気の振動と前記第２厚肉部から放出される空気の振動とが互いに強め合う可能性がある。
【００４６】
そこで、本実施形態では、環状ヨーク部１２の軸方向Ｚにおける前記第２厚肉部の中心は、環状ヨーク部１２の軸方向Ｚにおける前記第１厚肉部の中心に対してずれて位置する。
このような構成によると、前記第１厚肉部から放出される空気の振動と、前記第２厚肉部から放出される空気の振動とは互いに隣に並びにくい。このため、前記第１厚肉部の最外面から放出される空気の振動の位相と、前記第２厚肉部の最外面から放出される空気の振動の位相とが同相になる場合であっても、前記第１厚肉部から放出される空気の振動と、前記第２厚肉部から放出される空気の振動とが互いに強め合いにくい。その結果、固定子１から放出される騒音が小さくなる。
【００４７】
本実施形態では、環状ヨーク部１２の周方向θにおける前記第１厚肉部の幅Ｗ４および前記第２厚肉部の幅Ｗ４の各々は、環状ヨーク部１２の周方向θにおけるティース状ヨーク部１１の最小幅部２４を規定するティース状ヨーク部１１の一対の端部２４ａ，２４ｂを始点として、環状ヨーク部１２の周方向θにおけるティース状ヨーク部１１の中心を放射方向Ｒに通る中心線Ｃ２と略平行な一対の仮想線Ｌ１，Ｌ２が前記始点から延ばされた場合に、前記一対の仮想線Ｌ１，Ｌ２の間の領域を覆う大きさを有する。
このような構成によれば、第１ティース状ヨーク部１１Ａおよび第２ティース状ヨーク部１１Ｂに対応する領域の十分に広い範囲が前記第１厚肉部および前記第２厚肉部によって補強される。このため、騒音をさらに小さくすることができる。
【００４８】
本実施形態では、環状ヨーク部１２の各第１部分１２ａには、環状ヨーク部１２の軸方向Ｚに並ぶ複数の前記第１厚肉部が設けられている。また、環状ヨーク部１２の各第２部分１２ｂには、環状ヨーク部１２の軸方向Ｚに並ぶ複数の前記第２厚肉部が設けられている。
このような構成によれば、環状ヨーク部１２の軸方向Ｚにおける複数の場所において空気の振動の位相ずれが生じる。このため、環状ヨーク部１２の軸方向Ｚにおける複数の場所から放出される空気の振動が互いに強め合うことをさらに抑制することができる。これにより、騒音をさらに小さくすることができる。
【００４９】
ここで、固定子１の振動モード（変形モード）には、固定子１が楕円状に変形するモード（楕円モード）や、固定子１が四角形状に変形するモードがある。これらの振動モードでは、固定子１の中心線Ｃ１を間に挟んで互いに向かい合う環状ヨーク部１２の複数の部分が同相で変形する。このような振動モードは、環状ヨーク部１２の変形が比較的大きく、騒音も大きくなりやすい。
【００５０】
本実施形態では、前記第１厚肉部および前記第２厚肉部は、固定子１の中心線Ｃ１を間に挟んで互いに向かい合う環状ヨーク部１２の複数の部分に分かれて配置されている。
このような構成によれば、固定子１の中心線Ｃ１を間に挟んで互いに向かい合う環状ヨーク部１２の複数の領域から放出される空気の振動の間に位相ずれが生じる。このため、固定子１が上記振動モードで振動する場合においても、騒音が小さくなりやすい。
【００５１】
本実施形態では、前記第１厚肉部および前記第２厚肉部は、非磁性体で形成される。
このような構成によれば、前記第１厚肉部および前記第２厚肉部が環状ヨーク部１２に追加的に設けられる場合でも、環状ヨーク部１２の磁気特性が変化しにくい。このため、特別な磁気設計を行うことなく、前記第１厚肉部および前記第２厚肉部を有する環状ヨーク部１２を製造することができる。
【００５２】
（第２の実施形態）
次に、図６を参照して、第２の実施形態の固定子１について説明する。
本実施形態は、第１リブ２１および第２リブ２２が設けられる代わりに、第１厚肉部２１ｂおよび第２厚肉部２２ｂが環状ヨーク部１２と一体に形成されている点で第１の実施形態と異なる。なお、本実施形態のその他の構成は、第１の実施形態の構成と同様である。そのため、第１の実施形態と同様の部分の説明は省略する。
【００５３】
図６は、本実施形態の固定子１を示す斜視図である。
図６に示すように、環状ヨーク部１２の外周面１２ｓには、複数の第１厚肉部２１ｂと、複数の第２厚肉部２２ｂとが設けられている。
第１厚肉部２１ｂは、第１の実施形態の第１リブ２１の第２部分２１ｂに相当する。すなわち、第１厚肉部２１ｂは、放射方向Ｒにおいて、環状ヨーク部１２を挟んで、第１ティース状ヨーク部１１Ａの反対側に設けられている。第１厚肉部２１ｂは、放射方向Ｒにおいて、環状ヨーク部１２の最も薄い部分に比べて環状ヨーク部１２が厚くなる部分を環状ヨーク部１２に形成している。なお、本実施形態では、第１リブ２１の第１部分２１ａに相当する部分は、環状ヨーク部１２に設けられていない。
【００５４】
同様に、第２厚肉部２２ｂは、第１の実施形態の第２リブ２２の第２部分２２ｂに相当する。すなわち、第２厚肉部２２ｂは、放射方向Ｒにおいて、環状ヨーク部１２を挟んで、第２ティース状ヨーク部１１Ｂの反対側に設けられている。第２厚肉部２２ｂは、放射方向Ｒにおいて、環状ヨーク部１２の最も薄い部分に比べて環状ヨーク部１２が厚くなる部分を環状ヨーク部１２に形成している。なお、本実施形態では、第２リブ２２の第１部分２２ａに相当する部分は、環状ヨーク部１２に設けられていない。
【００５５】
本実施形態の環状ヨーク部１２は、環状ヨーク部１２の外形に対応する形状を有した比較的薄い電磁鋼鈑４１を、環状ヨーク部１２の軸方向Ｚに複数枚積層することで形成される。詳しく述べると、各電磁鋼鈑４１には、第１厚肉部２１ｂまたは第２厚肉部２２ｂに対応する凸部４１ａが設けられる。すなわち、所定枚数の電磁鋼鈑４１を積層することで、複数の凸部４１ａによって第１厚肉部２１ｂが形成される。さらに、第１厚肉部２１ｂを形成した所定枚数の電磁鋼鈑４１に対して、所定枚数の電磁鋼鈑４１が環状ヨーク部１２の周方向θに所定角度（例えば６０度）回転した姿勢でさらに積層される。このさらに積層される所定枚数の電磁鋼鈑４１の凸部４１ａによって第２厚肉部２２ｂが形成される。以下同様に、所定枚数の電磁鋼鈑４１を所定角度（例えば６０度）毎に回転させながら積層することで環状ヨーク部１２が形成される。
【００５６】
このような構成によれば、複数枚の電磁鋼鈑４１を積層することで、環状ヨーク部１２を形成すると同時に第１厚肉部２１ｂおよび第２厚肉部２２ｂを形成することができる。このため、第１厚肉部２１ｂおよび第２厚肉部２２ｂを有する環状ヨーク部１２の製造性を高めることができる。
また上記構成によれば、１種類の金型によって形成された凸部４１ａを有する電磁鋼鈑４１を、所定角度回転させて積層することで、第１厚肉部２１ｂおよび第２厚肉部２２ｂを形成することができる。このような構成によれば、環状ヨーク部１２の製造コストの削減を図ることができる。
【００５７】
（第３の実施形態）
次に、図７を参照して、第３の実施形態の固定子１について説明する。
本実施形態は、固定子１が第３リブ５１をさらに備える点で第１の実施形態と異なる。なお、本実施形態のその他の構成は、第１の実施形態の構成と同様である。そのため、第１の実施形態と同様の部分の説明は省略する。
【００５８】
図７は、本実施形態の固定子１を示す斜視図である。
図７に示すように、環状ヨーク部１２は、複数の第３部分１２ｃを有する。複数の第３部分１２ｃは、複数の第１部分１２ａと複数の第２部分１２ｂとの間に位置する。言い換えると、複数の第３部分１２ｃは、放射方向Ｒに沿って見た場合に、固定子１のスロット１３と重なる部分である。
【００５９】
本実施形態では、環状ヨーク部１２の外周面１２ｓには、複数の第３リブ５１が設けられている。複数の第３リブ５１は、環状ヨーク部１２の複数の第３部分１２ｃの各々に分かれて設けられている。なお、本願で言う「第３リブ（または第３厚肉部）が環状ヨーク部の第３部分に設けられている」とは、第３リブ（または第３厚肉部）の少なくとも一部が環状ヨーク部の第３部分に設けられていることを意味する。
第３リブ５１は、環状ヨーク部１２の周方向θにおいて、第１リブ２１と第２リブ２２との間の隙間を埋める。本実施形態では、６つのスロット１３に対応して６つの第３リブ５１が設けられる。第３リブ５１は、放射方向Ｒでスロット１３に重なる。第３リブ５１は、スロット１３に沿って配置され、環状ヨーク部１２の軸方向Ｚにおいて環状ヨーク部１２の全長に亘る。
【００６０】
第３リブ５１は、複数の第１部分５１ａと、複数の第２部分５１ｂとを有する。
放射方向Ｒにおける複数の第１部分５１ａおよび複数の第２部分５１ｂの最外面（後述の端面ｅ１，ｅ２）は、ベース面ＢＳに比べて、放射方向Ｒの中心点Ｃから離れて位置する。詳しく述べると、第１部分５１ａは、ベース面ＢＳに対して、第１リブ２１の第１部分２１ａと略同じ厚さｔ１を有する。一方で、第２部分５１ｂは、ベース面ＢＳに対して、第１リブ２１の第２部分２１ｂと略同じ厚さｔ２を有する。第２部分５１ｂは、第１部分５１ａに比べて環状ヨーク部１２の外周側に突出している。本実施形態では、複数の第２部分５１ｂの各々は、「第３厚肉部」の一例である。以上を言い換えると、第２部分５１ｂは、環状ヨーク部１２の周方向θにおいて、第１リブ２１の第２部分２１ｂ（第１厚肉部）と、第２リブ２２の第２部分２２ｂ（第２厚肉部）との間に設けられている。第２部分５１ｂは、放射方向Ｒにおいて、環状ヨーク部１２の最も薄い部分に比べて環状ヨーク部１２が厚くなる部分を環状ヨーク部１２に形成している。
【００６１】
図１に示すように、複数の第１部分５１ａと、複数の第２部分５１ｂは、環状ヨーク部１２の軸方向Ｚにおいて交互に配置されている。言い換えると、複数の第２部分５１ｂは、互いの間に間隔を空けて環状ヨーク部１２の軸方向Ｚに並べられている。第１部分５１ａは、環状ヨーク部１２の外周側の周面として円弧状の第１端面ｅ１を有する。第２部分５１ｂは、環状ヨーク部１２の外周側の周面としての円弧状の第２端面ｅ２を有する。
【００６２】
環状ヨーク部１２の軸方向Ｚおよび周方向θにおける第３リブ５１の第１部分５１ａの幅Ｗ１，Ｗ２は、環状ヨーク部１２の軸方向Ｚおよび周方向θにおける第１リブ２１の第１部分２１ａの幅Ｗ１，Ｗ２と略同じである。同様に、環状ヨーク部１２の軸方向Ｚおよび周方向θにおける第３リブ５１の第２部分５１ｂの幅Ｗ３，Ｗ４は、環状ヨーク部１２の軸方向Ｚおよび周方向θにおける第１リブ２１の第２部分２１ｂの幅Ｗ３，Ｗ４と略同じである。
【００６３】
第３リブ５１は、第１リブ２１と同様に、ダイカストのような製造方法によって、上述した複数の第１部分５１ａと複数の第２部分５１ｂとが一体に形成されている。第３リブ５１は、環状ヨーク部１２とは別体として形成され、接着または溶接などによって環状ヨーク部１２に固定されている。第３リブ５１は、例えばアルミニウム合金のような非磁性体で形成されている。
【００６４】
次に、第１リブ２１の第２部分２１ｂおよび第２リブ２２の第２部分２２ｂに対する第３リブ５１の第２部分５１ｂの位置について説明する。
図７に示すように、第３リブ５１の複数の第２部分５１ｂの各々は、環状ヨーク部１２の軸方向Ｚにおいて、第１リブ２１の複数の第２部分２１ｂおよび第２リブ２２の複数の第２部分２２ｂに対してずれた位置に設けられる。なお本願で言う「第３厚肉部は、ヨークの軸方向において、第１厚肉部および第２厚肉部に対してずれた位置に設けられる」とは、環状ヨーク部１２の軸方向Ｚにおける第３厚肉部の中心が、環状ヨーク部１２の軸方向Ｚにおいて、環状ヨーク部１２の軸方向Ｚにおける第１厚肉部の中心および第２厚肉部の中心に対してずれた位置に設けられることを意味する。本実施形態では、第２部分５１ｂの一部（例えば略半分）は、環状ヨーク部１２の周方向θにおいて、第１リブ２１の第２部分２１ｂに重なる。第２部分５１ｂの他の一部（例えば残りの略半分）は、環状ヨーク部１２の周方向θにおいて、第２リブ２２の第２部分２２ｂに重なる。
【００６５】
例えば、回転電機の寸法や構成によっては、前記第１厚肉部または前記第２厚肉部から放出される空気の振動の位相と、前記第１厚肉部と前記第２厚肉部との間の領域から放出される空気の振動の位相とが同相になる可能性がある。また、設計位置に対する回転子のずれ量が過度に大きくなった場合も同様の事態が生じる可能性がある。
【００６６】
そこで本実施形態では、固定子１は、第３厚肉部を備える。前記第３厚肉部は、環状ヨーク部１２の周方向θにおいて前記第１厚肉部と前記第２厚肉部との間に設けられ、環状ヨーク部１２の最も薄い部分に比べて環状ヨーク部１２が厚くなる部分を環状ヨーク部１２に形成している。環状ヨーク部１２の軸方向Ｚにおける前記第３厚肉部の中心は、環状ヨーク部１２の軸方向Ｚにおける前記第１厚肉部の中心および前記第２厚肉部の中心に対してずれて位置する。
このような構成によれば、第１厚肉部および第２厚肉部から放出される空気の振動の位相に対して、第１厚肉部と第２厚肉部との間の領域の少なくとも一部から放出される空気の振動の位相をずらすことができる。これにより、複数の場所から放出される空気の振動が互いに強め合うことを抑制し、騒音を小さくすることができる。
【００６７】
（第４の実施形態）
次に、図８を参照して、第４の実施形態の固定子１について説明する。
本実施形態は、振動絶縁体６１が設けられる点で第１の実施形態と異なる。なお、本実施形態のその他の構成は、第１の実施形態の構成と同様である。そのため、第１の実施形態と同様の部分の説明は省略する。
【００６８】
図８は、本実施形態の振動絶縁体６１を示す斜視図である。
図８に示すように、本実施形態では、振動絶縁体６１は、第２リブ２２の複数の第２部分２２ｂの間の空隙部に挿入される。すなわち、振動絶縁体６１は、放射方向Ｒで第２リブ２２の第１部分２２ａに重ねられる。放射方向Ｒにおける振動絶縁体６１の厚さは、第１部分２２ａと第２部分２２ｂとの間の段差の厚さに対応する。振動絶縁体６１は、複数の第２部分２２ｂの間の空隙部を埋める。
【００６９】
同様に、振動絶縁体６１は、第１リブ２１の複数の第２部分２１ｂの間の空隙部に挿入される。すなわち、振動絶縁体６１は、放射方向Ｒで第１リブ２１の第１部分２１ａに重ねられる。放射方向Ｒにおける振動絶縁体６１の厚さは、第１部分２１ａと第２部分２１ｂとの間の段差の厚さに対応する。振動絶縁体６１は、複数の第２部分２１ｂの間の空隙部を埋める。
振動絶縁体６１は、例えばゴムのような弾性体である。
【００７０】
言い換えると、振動絶縁体６１は、環状ヨーク部１２の第１部分１２ａに設けられ、環状ヨーク部１２の軸方向Ｚで第１リブ２１の第２部分２１ｂを外れた位置に配置されている。また、振動絶縁体６１は、環状ヨーク部１２の第２部分１２ｂに設けられ、環状ヨーク部１２の軸方向Ｚで第２リブ２２の第２部分２２ｂを外れた位置に配置されている。
【００７１】
このような構成によれば、振動絶縁体６１が設けられることで、振動絶縁体６１によって空気の振動の一部が吸収される。これにより、空気の振動を小さくすることができる。このため、騒音を小さくすることができる。また、振動絶縁体６１の材質を変更することで、空気の振動の位相を調整することができる。これにより、騒音のさらなる低減を図ることができる。
【００７２】
さらに本実施形態では、振動絶縁体６１は、環状ヨーク部１２の軸方向Ｚで第１リブ２１の第２部分２１ｂを外れた位置に配置される。すなわち、振動絶縁体６１は、第１リブ２１の第２部分２１ｂを環状ヨーク部１２に設けることで生じる空隙部を利用して配置される。このため、振動絶縁体６１を追加的に配置しても、固定子１の外周サイズは大きくなりにくい。すなわち、振動絶縁体６１を環状ヨーク部１２の軸方向Ｚで第１リブ２１の第２部分２１ｂを外れた位置に配置することで、振動絶縁体６１を設けた場合であっても固定子１の大型化を避けることができる。
また、回転電機が固定子１の外周側にフレームを有する場合、振動絶縁体６１を備えることによって、固定子１の外周面の略全面でフレームを支持することができる。これにより、固定子１をフレームに組み込むときの安定性を向上させることができる。
【００７３】
次に、図９を参照して第１から第４の実施形態の固定子１が搭載される回転電機７１の一例について説明する。
図９は、回転電機７１を示す断面図である。回転電機７１は、例えば電動機または発電機である。図９に示すように、回転電機７１は、フレーム７２、固定子１、コイル７３、および回転子７４を備える。
【００７４】
フレーム７２は、円筒状の周壁７２ａと、端壁７２ｂとを有する。端壁７２ｂは、環状ヨーク部１２の軸方向Ｚにおける周壁７２ａの一端部から、周壁７２ａとは交差する（例えば略直交する）方向に設けられる。固定子１は、円筒状に形成され、フレーム７２の周壁７２ａの内周面に固定される。コイル７３は、固定子１のスロット１３に収容され、固定子１に取り付けられる。回転子７４は、回転子鉄心７４ａと、回転子鉄心７４ａが固定された回転子シャフ７４ｂとを含む。回転子７４は、固定子１の内側（内周側）に回転可能に配置される。
【００７５】
このような構成によれば、騒音の低減を図ることができる回転電機７１を提供することができる。なお、回転電機７１の構成は、上記例に限定されない。第１から第４の実施形態の固定子１は、フレームを有しないフレームレス構造の回転電機７１にも適用可能である。言い換えると、第１から第４の実施形態の固定子１によれば、フレームレス構造を採用しても騒音の低減を図ることができる。
【００７６】
以上、第１から第４の実施形態に係る固定子１と回転電機７１について説明したが、実施形態の構成は、上記例に限定されない。第１から第４の実施形態に係る構成は、互いに組み合わせて適用可能である。
また例えば、固定子１は、集中巻タイプに限定されるものではなく、分布巻タイプであってもよい。また、第１リブ２１の各々と第２リブ２２の各々との間の距離は、等しくなくてもよい。
【００７７】
以上説明した少なくともひとつの実施形態によれば、本実施形態の固定子１は、複数のティース状ヨーク部１１と、環状ヨーク部１２と、第１厚肉部（第１リブ２１の第２部分２１ｂ）と、第２厚肉部（第２リブ２２の第２部分２２ｂ）とを持つ。前記第１厚肉部は、放射方向Ｒにおいて、環状ヨーク部１２を挟んで、複数のティース状ヨーク部１１に含まれる第１ティース状ヨーク部１１Ａの反対側に設けられ、環状ヨーク部１２の最も薄い部分に比べて環状ヨーク部１２が厚くなる部分を環状ヨーク部１２に形成している。前記第２厚肉部は、放射方向Ｒにおいて、環状ヨーク部１２を挟んで、複数のティース状ヨーク部１１に含まれる第２ティース状ヨーク部１１Ｂの反対側に設けられ、環状ヨーク部１２の最も薄い部分に比べて環状ヨーク部１２が厚くなる部分を環状ヨーク部１２に形成している。環状ヨーク部１２の軸方向Ｚにおける前記第２厚肉部の中心は、環状ヨーク部１２の軸方向Ｚにおける前記第１厚肉部の中心に対してずれて位置する。環状ヨーク部１２の周方向θにおける前記第１厚肉部の幅Ｗ４および前記第２厚肉部の幅Ｗ４の各々は、環状ヨーク部１２の周方向θにおけるティース状ヨーク部１１の最小幅部２４を規定するティース状ヨーク部１１の一対の端部２４ａ，２４ｂを始点として、環状ヨーク部１２の周方向θにおけるティース状ヨーク部１１の中心を放射方向Ｒに通る中心線Ｃ２と略平行な一対の仮想線Ｌ１，Ｌ２が前記始点から延ばされた場合に、前記一対の仮想線Ｌ１，Ｌ２の間の領域を覆う大きさを有する。このような構成によれば、回転電機の騒音の低減を図ることができる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１…固定子、１１…ティース状ヨーク部、１１Ａ…第１ティース状ヨーク部、１１Ｂ…第２ティース状ヨーク部、１２…環状ヨーク部、２１ｂ…第１リブの第２部分（第１厚肉部）、２２ｂ…第２リブの第２部分（第２厚肉部）、２４…第１ティースの最小幅部、２４ａ，２４ｂ…最小幅部を規定する端部、Ｃ２…中心線、Ｌ１，Ｌ２…仮想線、５１ｂ…第３リブの第２部分（第３厚肉部）、６１…振動絶縁体、７１…回転電機、７３…コイル、７４…回転子、Ｚ…軸方向、Ｒ…所定の中心点から見た放射方向、θ…周方向。
【図１】
2017051008.tif 000003
【図２】
2017051008.tif 000004
【図３】
2017051008.tif 000005
【図４】
2017051008.tif 000006
【図５】
2017051008.tif 000007
【図６】
2017051008.tif 000008
【図７】
2017051008.tif 000009
【図８】
2017051008.tif 000010
【図９】
2017051008.tif 000011